(57)【要約】【課題】  より詳細な印刷及び様々な製本条件に合わせた印刷ジョブの面付けを可能とする。【解決手段】  情報処理装置は、用紙に対する一又は複数のページ分のデータの割り当て指定操作とともに、用紙及びページの少なくとも何れか一方に係る属性をページ単位で指定操作を行うことが可能な操作手段を備え、操作手段の操作に応じて指定された（ステップＳ２／ＹＥＳ）、用紙に対するデータの割り当て内容並びに用紙及びページの少なくとも何れか一方に係る属性に基づいて、印刷ジョブデータを生成し（ステップＳ３、Ｓ４）、生成された印刷ジョブデータを外部装置に対して送信する。【選択図】  図６
2006268358.tif 000002
【特許請求の範囲】
【請求項１】
用紙に対する一又は複数のページ分のデータの割り当て指定操作とともに、前記用紙及び前記ページの少なくとも何れか一方に係る属性を前記ページ単位で指定操作を行うことが可能な操作手段と、
前記操作手段の操作に応じて指定された、前記用紙に対する前記データの割り当て内容並びに前記用紙及び前記ページの少なくとも何れか一方に係る属性に基づいて、印刷ジョブデータを生成する印刷ジョブ生成手段と、
前記印刷ジョブ生成手段により生成される前記印刷ジョブデータを外部装置に対して送信する印刷ジョブ送信手段とを有することを特徴とする情報処理装置。
【請求項２】
前記用紙に係る属性として、前記用紙の種類、前記用紙の印刷方向、前記用紙の給紙元及び両面／片面印刷の少なくとも何れか一つを含むことを特徴とする請求項１に記載の情報処理装置。
【請求項３】
前記ページに係る属性として、章の開始ページを含むことを特徴とする請求項１又は２に記載の情報処理装置。
【請求項４】
前記操作手段の操作に応じて新規に指定された内容を登録する指定内容登録手段を更に有することを特徴とする請求項１乃至３の何れか１項に記載の情報処理装置。
【請求項５】
情報処理装置の制御方法であって、
用紙に対する一又は複数のページ分のデータの割り当て指定操作とともに、前記用紙及び前記ページの少なくとも何れか一方に係る属性を前記ページ単位で指定操作を行うことが可能な操作手段を用いて指定された、前記用紙に対する前記データの割り当て内容並びに前記用紙及び前記ページの少なくとも何れか一方に係る属性に基づいて、印刷ジョブデータを生成する印刷ジョブ生成ステップと、
前記印刷ジョブ生成ステップにより生成される前記印刷ジョブデータを外部装置に対して送信する印刷ジョブ送信ステップとを含むことを特徴とする情報処理装置の制御方法。
【請求項６】
請求項５に記載の情報処理装置の制御方法をコンピュータに実行させるためのプログラム。
【請求項７】
請求項６に記載のプログラムを記録したコンピュータ読み取り可能な記録媒体。
【発明の詳細な説明】
【技術分野】
【０００１】
本発明は、製本条件等に合わせた印刷ジョブの面付け作業を行うことが可能な情報処理装置及びその制御方法に関するものである。
【背景技術】
【０００２】
従来、ユーザが指定したページサイズや製本条件に合わせて、複数ページの印刷ジョブの面付け作業を行う機能が知られている。例えば、特許文献１の技術では、プリンタドライバのユーザインタフェースを介して、製本条件を指定でき、ホストコンピュータ上の印刷制御プログラムを用いて、各論理ページの縮小及びレイアウト処理（面付けとも呼ぶ）を行っている。
【０００３】
【特許文献１】特開平１０−３０９８４１号公報
【発明の開示】
【発明が解決しようとする課題】
【０００４】
しかしながら、従来のページサイズや製本条件に合わせたジョブの面付けを行う機能は、ページ単位で用紙の種類やページ種類の関する指定手段が無かったため、出力される用紙の種類は常に全ページ固定であったり、ページに対する章の開始ページの指定を行うことが困難である等の問題があった。
【０００５】
そこで、本発明の目的は、より詳細な印刷及び様々な製本条件に合わせた印刷ジョブの面付けを可能とすることにある。
【課題を解決するための手段】
【０００６】
本発明の情報処理装置は、用紙に対する一又は複数のページ分のデータの割り当て指定操作とともに、前記用紙及び前記ページの少なくとも何れか一方に係る属性を前記ページ単位で指定操作を行うことが可能な操作手段と、前記操作手段の操作に応じて指定された、前記用紙に対する前記データの割り当て内容並びに前記用紙及び前記ページの少なくとも何れか一方に係る属性に基づいて、印刷ジョブデータを生成する印刷ジョブ生成手段と、前記印刷ジョブ生成手段により生成される前記印刷ジョブデータを外部装置に対して送信する印刷ジョブ送信手段とを有することを特徴とする。
【０００７】
本発明の情報処理装置の制御方法は、用紙に対する一又は複数のページ分のデータの割り当て指定操作とともに、前記用紙及び前記ページの少なくとも何れか一方に係る属性を前記ページ単位で指定操作を行うことが可能な操作手段を用いて指定された、前記用紙に対する前記データの割り当て内容並びに前記用紙及び前記ページの少なくとも何れか一方に係る属性に基づいて、印刷ジョブデータを生成する印刷ジョブ生成ステップと、前記印刷ジョブ生成ステップにより生成される前記印刷ジョブデータを外部装置に対して送信する印刷ジョブ送信ステップとを含むことを特徴とする。
【０００８】
本発明のプログラムは、前記情報処理装置の制御方法をコンピュータに実行させることを特徴とする。
【０００９】
本発明のコンピュータ読み取り可能な記録媒体は、前記プログラムを記録したことを特徴とする。
【発明の効果】
【００１０】
本発明によれば、用紙に対する一又は複数のページ分のデータの割り当て指定操作とともに、用紙及びページの少なくとも何れか一方に係る属性を指定可能とし、それら指定された内容に基づいて印刷ジョブデータを生成するように構成したので、より詳細な印刷及び様々な製本条件に合わせた印刷ジョブの面付けを行うことが可能となる。
【発明を実施するための最良の形態】
【００１１】
以下、本発明を適用した好適な実施形態を、添付図面を参照しながら詳細に説明する。
【００１２】
図１は、本発明の実施形態に係る情報処理（画像読取）システムの構成図である。図１において、リーダ部１、プリンタ部２及び画像入出力制御部３は、マルチファンクションプリンタを構成する部分であり、このマルチファンクションプリンタは、ネットワークを介して、コンピュータ１１、ネットワークサーバ１２等の外部機器に接続されている。
【００１３】
リーダ部１は、原稿の画像を光学的に読取って光電変換し、原稿画像に応じたデジタルの画像データをプリンタ部２及び画像入出力制御部３に出力する。プリンタ部２は、リーダ部１又は画像入出力制御部３から送られた画像データを、例えば電子写真方式で記録紙上に記録する。画像入出力制御部３は、リーダ部１及びプリンタ部２に接続されており、ファクシミリ部４、ファイル部５、ネットワークインタフェース部７、ＬＩＰＳ（ＬＢＰ Ｉｍａｇｅ Ｐｒｏｃｅｓｓｉｎｇ Ｓｙｓｔｅｍ）フォーマッタ部８、ポストスクリプト（ＰＳ）フォーマッタ部９、コア部１０などから構成されている。
【００１４】
ファクシミリ部４は、電話回線を介して受信した圧縮画像データを伸長して、この伸長された画像データをコア部１０へ転送し、また、コア部１０から転送された画像データを圧縮して、この圧縮された圧縮画像データを、電話回線を介して送信する。
【００１５】
ファイル部５には、光磁気ディスクドライブユニット６が接続されており、ファイル部５は、コア部１０から転送された画像データを圧縮し、この画像データを検索するためのキーワードとともに光磁気ディスクドライブユニット６内の光磁気ディスクに記憶させる。また、ファイル部５は、コア部１０を介して転送されたキーワードに基づいて、光磁気ディスクに記憶されている圧縮画像データを検索し、得られた圧縮画像データを読出して伸長し、伸長された画像データをコア部１０へ転送する。
【００１６】
ネットワークインタフェース部７は、パーソナルコンピュータ（ＰＣ）、ワークステーション（ＷＳ）等のコンピュータ１１とコア部１０との間のインタフェース制御を行う。ネットワークサーバ１２は、ネットワーク制御を行う。フォーマッタ部８、９は、コンピュータ１１から転送されたＰＤＬ（ページ記述言語）データをプリンタ部２で記録できる画像データに展開するものである。
【００１７】
コア部１０については後述するが、コア部１０は、リーダ部１、ファクシミリ部４、ファイル部５、ネットワークインタフェース部７、フォーマッタ部８、９の相互間でのデータの流れを制御するものである。
【００１８】
図２は、リーダ部１及びプリンタ部２を含むマルチファンクションプリンタの機械的構成を示す断面図である。
【００１９】
リーダ部１の自動原稿給送装置１０１では、複数枚の原稿３０２がスキャンする面を上向きにして原稿載置台３０１に載置される。そして、原稿載置台３０１に載置された原稿は、最終頁から順に１枚ずつ表裏反転してプラテンガラス１０２上へ給送され、原稿の読取動作が終了した後、プラテンガラス１０２上の原稿が排出される。
【００２０】
なお、原稿載置台３０１には、載置された原稿のサイズを検知する原稿サイズセンサ３０１ａが設けられている。この原稿サイズセンサ３０１ａは、例えば、原稿載置台３０１に載置された複数の原稿の各辺を揃えるための原稿セットガイド（図示省略）の位置を検知することにより、原稿のサイズを検知するように構成されている。
【００２１】
リーダ部１は、原稿がプラテンガラス（原稿台、読取台）１０２上に搬送されると、ランプ１０３を点灯した状態でスキャナユニット１０４を移動させることにより、原稿を露光走査する。この時の原稿からの反射光は、ミラー１０５、１０６、１０７、及びレンズ１０８によってＣＣＤイメージセンサ（以下、「ＣＣＤ」と称す）１０９へ導かれる。
【００２２】
このようにして走査された原稿の画像光は、ＣＣＤ１０９によって光電変換される。ＣＣＤ１０９から出力される画像データは、Ａ／Ｄ変換等の処理が施された後、プリンタ部２及び画像入出力制御部３のコア部１０へ転送される。
【００２３】
プリンタ部２のレーザドライバ２２１は、レーザ発光部２０１を駆動するものであり、リーダ部１から出力された画像データに応じたレーザ光をレーザ発光部２０１から発光させる。このレーザ光は感光ドラム２０２に照射され、感光ドラム２０２にはレーザ光に応じた潜像が形成される。この感光ドラム２０２の潜像の部分には現像器２０３によって現像剤が付着される。
【００２４】
そして、レーザ光の照射開始と同期したタイミングで、カセット２０４又は２０５から記録紙を給紙して転写部２０６へ搬送し、感光ドラム２０２に付着された現像剤を記録紙に転写する。現像剤が転写された記録紙は定着部２０７に搬送され、定着部２０７の熱と圧力により現像剤が記像紙に定着される。定着部２０７を通過した記録紙は、片面記録が設定されている場合は、排出ローラ２０８によってそのままソータ２２０に排出され、ソータ２２０は、排出された記録紙をそれぞれのピンに収納して記録紙の仕分けを行う。なお、ソータ２２０では、仕分けが設定されていない場合は最上ビン（排紙トレー２５０）に記録紙を収納する。
【００２５】
また、両面記録が設定されている場合は、排出ローラ２０８の位置まで記録紙を搬送した後、排出ローラ２０８の回転方向を逆転させ、フラッパ２０９によって記録紙を再給紙搬送路へ導く。また、多重記録が設定されている場合は、記録紙を排出ローラ２０８の位置まで搬送しないでフラッパ２０９によって再給紙搬送路へ導く。再給紙搬送路へ導かれた記録紙は上述したタイミングで転写部２０６へ給紙される。また、フェースアップ排紙する場合は、反転排紙ユニット２３０をそのまま素通りして、ソータ２２０に排紙される。
【００２６】
一方、フェースダウン排紙の場合は、反転ユニット２３０で排紙方向を逆転させて排紙する。この場合、記録紙は一旦、２３１の位置まで搬送され、搬送方向を逆にして後ろから排紙される。
【００２７】
図３は、リーダ部１の電気的な内部構成を示すブロック図である。
ＣＣＤ１０９から出力された画像データに対してＡ／Ｄ・ＳＨ部１１０でアナログ／デジタル変換が行われるとともに、シェーディング補正が行われる。Ａ／Ｄ・ＳＨ部１１０によって処理された画像データは、画像処理部１１１を介してプリンタ部２へ転送されるとともに、インタフェース部１１３を介して画像入出力制御部３のコア部１０へ転送される。
【００２８】
ＣＰＵ１１４は、操作部１１５で設定された設定内容に応じて画像処理部１１１及びインタフェース部１１３を制御する。例えば、操作部１１５の操作によりトリミング処理を行って複写を行う複写モードが設定されている場合は、画像処理部１１１により、画像データに対するトリミング処理を行わせてプリンタ部２へ転送させる。また、操作部１１５の操作によりファクシミリ送信モードが設定されている場合は、インタフェース部１１３により、画像データと設定モードに応じた制御コマンドとをコア部１０へ転送させる。
【００２９】
このようなＣＰＵ１１４で実行される制御プログラムは、メモリ１１８に記憶されており、ＣＰＵ１１４は、メモリ１１８を参照しながら制御を行う。また、メモリ１１８は、ＣＰＵ１１４の作業領域としても使われる。
【００３０】
図４は、コア部１０の電気的な内部構成を示すブロック図である。
リーダ部１からの画像データは、インタフェース部１２２を介してデータ処理部１２１へ転送されるとともに、リーダ部１からの制御コマンドは、インタフェース部１２２を介してＣＰＵ１２３へ転送される。データ処理部１２１は、画像の回転処理や変倍処理などの画像処理を行うものであり、リーダ部１からデータ処理部１２１へ転送された画像データは、リーダ部１から転送された制御コマンドに応じて、インタフェース部１２０を介してファクシミリ部４、ファイル部５、ネットワークインタフェース部７へ送られる。
【００３１】
コンピュータ１１から送信されてきた画像を表すＰＤＬデータは、ネットワークインタフェース部７、インタフェース部１２０を介してコア部１０のＣＰＵ１２３に入力される。すると、ＣＰＵ１２３は、そのＰＤＬデータがＬＩＰＳとポストスクリプトのいずれの言語で記述されているかを判定し、対応するフォーマッタ部８又は９へ転送して画像データとして展開させる。この展開された画像データは、データ処理部１２１に転送された後、ファクシミリ部４やプリンタ部２へ転送される。
【００３２】
ファクシミリ部４からコア部１０へ送られた画像データは、データ処理部１２１へ転送された後、プリンタ部２やファイル部５、ネットワークインタフェース部７へ転送される。また、ファイル部５からコア部１０へ送られた画像データは、データ処理部１２１へ転送された後、ブリンタ部２やファクシミリ部４、ネットワークインタフェース部７へ転送される。
【００３３】
ＣＰＵ１２３は、メモリ１２４に記憶されている制御プログラム、及びリーダ部１から転送された制御コマンドに従って、上記のような制御を行う。また、メモリ１２４は、ＣＰＵ１２３の作業領域としても使われる。
【００３４】
ネットワークインタフェース部７には、ＭＩＢ（Ｍａｎａｇｅｍｅｎｔ Ｉｎｆｏｒｍａｔｉｏｎ Ｂａｓｅ）と呼ばれるデータベースが構築されており、ＳＮＭＰ（Ｓｉｍｐｌｅ Ｎｅｔｗｏｒｋ Ｍａｎａｇｅｍｅｎｔ Ｐｒｏｔｏｃｏｌ）プロトコルを用いてネットワーク上のコンピュータと通信し、プリンタの管理が可能になっている。また、部門ＩＤごとに設定可能なプリント枚数やその他の各種設定を、装置の操作部１１５あるいはネットワーク上のコンピュータ１１から行うことができるようになっている。
【００３５】
このように、コア部１０を中心にして、原稿画像の読取り、画像のプリント、画像の送受信、画像の保存、コンピュータ１１に対するデータの入出力などの各種の機能を、単独又は複合的に実行させることができる。
【００３６】
次に、面付けした印刷ジョブに対してページ種類の設定を行うＧＵＩ画面について詳細に説明する。
【００３７】
まず、本機能では、画像形成装置システムにスプールされたPost Scriptデータファイルに変換して、印刷、製本条件に合わせたジョブの面付け（用紙（シート）に対する一又は複数のページ分のデータの割り当て）を行い、更に、面付けしたジョブに対してページ種類の各種設定を行うことができる。具体的には、面付け機能を実行すると、Adobe Acrobatが自動的に起動してPost ScriptファイルをＰＤＦファイルに変換し、ジョブの面付け、及びページ種類の各種設定を行うウィンドウが表示される。ジョブの面付け、及びMixed Mediaのウィンドウでは、ページサイズや製本条件に合わせたジョブの面付け作業を行うことがきる。本機能の各種設定、及び機能の内容について下記に説明する。
【００３８】
図５は、ジョブの面付け、及びページ種類の各種設定を行うＧＵＩ画面を示す図である。面付け機能を実行すると専用のＧＵＩ画面３００が表示される。
【００３９】
まず、テンプレートの選択メニュー３０１では、面付け用のテンプレートを指定する。テンプレートとは、複数の面付け用のオプションを指定したファイルのことである。どの印刷ジョブにもテンプレートファイルを指定できるため、面付け作業を簡単、且つ効率的に行うことができる。
【００４０】
テンプレートの選択メニュー３０１には、「1-upフルブリード」、「2-up中とじ」、「2-up無線とじ」、「3-up巻き三つ折」、「4-upW字型折」、「4-up四つ折」、「4-up内巻四つ折」、「カスタムテンプレート」の８種類がある。
【００４１】
「1-upフルブリード」のテンプレートは、シート１枚につき書類を１ページ印刷する場合に使用する。ページマークが用紙切断位置を示す。書類内容は、用紙の裁ち落し線を超えて印刷される。このテンプレートには「ブリード」、「ページマーク」（トンボ/ページ情報のみ）、「自動変倍」、「ギャングアップ：唯一」の設定が適用されている。
【００４２】
「2-up中とじ」のテンプレートは、「中とじ」製本用の折り丁を作成する場合に使用する。全シートが中央線で一緒に二つ折される。このテンプレートには、「両面」、「ブリード」、「ページマーク」（折り目/トンボ/ページ情報）、「自動変倍」、「中とじ製」の設定が適用される。
【００４３】
「2-up無線とじ」のテンプレートは、「無線とじ」製本用の折り丁を作成する場合に使用する。各シートは二つ折され、折られた形で重ねられます。このテンプレートには、「両面」、「ブリード」、「ページマーク」（折り目/トンボ/ページ情報）、「自動変倍」、「無線とじ製本」の設定が適用される。
【００４４】
「3-up巻き三つ折」のテンプレートは、１枚のシートを三つ折したものである。各セクションは同じ幅に設定されるが、セクション間の溝を任意に設定できるので、左側のパネルが他の２パネルの上に重なるように折ることもできる。このテンプレートには、「両面」、「ページマーク」（トンボ/ページ情報のみ）、「自動変倍」、「ギャングアップ：唯一」の設定が適用される。
【００４５】
「4-upW字型折」のテンプレートは、１枚のシートを４つのセクションに折ったものである。１つの折り線（背）のみに負担をかけず、シート上で隣接するパネルが仕上がりでも隣接するように折られる。通常このレイアウトは、道路地図用に使用される。このテンプレートには、「両面」、「ページマーク」（トンボ/ ページ情報のみ）、「自動変倍」、「ギャングアップ：唯一」の設定が適用される。
【００４６】
「4-up四つ折」のテンプレートは、両面印刷の各面に４ページずつ配置した小冊子を作成する場合に使用する。各シート上部の２ページを９０°回転し、シートを折って裁ち落し線で切断した場合、仕上がり小冊子で各ページが正しく表示されるように配置される。このテンプレートには、「両面」、「ブリード」、「ページマーク」（折り目/トンボ/ジョブ情報）、「自動変倍」、「中とじ製」の設定が適用されている。
【００４７】
「4-up内巻四つ折」のテンプレートは、通常４つのセクションで構成されるパンフレットを作成する場合に使用される。ページは、まず両端のパネル部分が内側に折られ、さらにもう一度内側に折られる。このテンプレートには、「両面」、「ページマーク」（トンボ/ジョブ情報のみ）、「自動変倍」、「ギャングアップ：唯一」の設定が適用される。
【００４８】
「カスタムテンプレート」は、面付け、及びページ種類に関する各種設定（「シート」/「配置」/「拡大縮小」/「仕上げ」等ページ設定エリアでの指定）をカスタムテンプレートとして保存することができる。テンプレートを保存する場合は、保存ボタン３１３をクリックし、そのテンプレートファイルがテンプレートの選択メニュー３０１に追加される。ファイル名は、テンプレート１〜１００の様に、１００種類のテンプレートを保存することができる。
【００４９】
ページの設定エリア３０２では、ページの属性を指定する。ページ設定は面付けの作業の土台となる。ページ範囲３０３のオプションでは、サイズ３０４、用紙の種類３０５等のページの設定エリア３０２の設定を使用するページ範囲を指定する。複数の連続するページ番号を入力する場合は、「2-5」のように番号の間にハイフンを入力する。また、「-5」と入力すると最初のページから５ページまでが指定され、「5-」と入力すると５ページから最後のページまでが指定される。同一の用紙種類、両面、及び給紙段の設定を使用するページ、またはページ範囲は、コンマで区切って一緒に入力する（例：「2, 5, 7」、「4-5, 9-10」）。ただし、単数ページとページ範囲を組み合わせて入力することは出来ない。
【００５０】
また、白紙を挿入する場合は、その場所に「^」を入力する。例えば、「^6」と入力すると、６ページ目の前に白紙が挿入される。サイズ３０４のオプションでは、印刷に使用するページサイズを指定する。このメニューでは、画像形成装置システムのPost Scriptプリンタ記述（PPD）ファイルで定義されている用紙サイズを選択する。サイズ３０４の選択メニューは、A4、レター、リーガル、11x17、A3、レター-R、A4-R、A5、A5-R、B4、B5、B5-R、Statement、Statement-R、12x18、305x440、カスタム用紙サイズがある。なお、カスタム用紙サイズを使用する場合は、フィールドに用紙の幅、及び高さを手動で入力する。
【００５１】
また、サイズ３０４を設定する場合には、ページの印刷可能領域と面付けジョブのページサイズを考慮する必要がある。ページの印刷可能領域内にジョブページを面付けし、ジョブのページサイズが印刷領域よりも大きい場合、ページサイズを縮小する。縮小なしで面付けする場合は、ジョブページサイズよりも大きいページサイズを選択する必要がある。用紙の種類３０５のオプションでは、使用する用紙の種類を選択する。用紙の種類３０５の選択メニューには、「Plain Paper(普通紙)」、「OHPシート」、「Heavy Paper(厚紙)」、「Extra Heavy Paper(最厚口)」、「Thin Paper(薄紙)」、「Coated Paper(コート紙<普通紙>)」、「Coated Heavy Paper(コート紙<厚紙>)」、「Coated Extra Heavy Paper(コート紙<最厚口>)」の８つの選択オプションがある。初期設定は、「Plain Paper(普通紙)」である。
【００５２】
方向３０６のオプションでは、面付け、及びページ種類の各種設定を行うＧＵＩ画面３００のページの表示方向を指定する。両面３０７のオプションでは、両面印刷を行うかどうかを指定する。両面印刷を行う場合は、「オン」、片面印刷を行う場合は、「オフ」、手動で両面印刷を行う場合は、「手動」を選択する。給紙段３０８のオプションでは、使用する給紙段を選択する。給紙段３０８の選択メニューには、「Auto Select(自動用紙選択)」、「Drawer1(カセット１)」、「Drawer2(カセット２)」、「SB(手差し)」、「Paper Deck(ペーパーデッキ)」がある。初期設定は、「Auto Select(自動用紙選択)」である。なお、「自動用紙選択」を選択すると、指定した用紙サイズがセットされた給紙段が自動的に選択される。
【００５３】
次に、章の開始ページ３０９のオプションで、各章の開始ページを入力して、章設定を行う。開始ページはコンマ（,）で区切って入力する（例：13, 26, 38,）。書類の偶数ページを指定した場合は、印刷時に白紙が挿入されるため、奇数ページが開始ページとなる。特に、章分けされたジョブの両面印刷を行う場合に便利である。
【００５４】
以上、ページの設定エリア３０２の設定が完了したら、次に追加ボタン３１０をクリックする。ページの設定エリア３０２の設定した内容は、選択一覧３１４に一覧表示される。また、設定内容を変更する場合は、まず、選択一覧３１４の欄で変更項目を含む行をクリックする。各種設定を変更後、変更ボタン３１１をクリックすると、再度選択一覧３１４に変更内容が表示される。また、設定内容を削除する場合は、選択一覧３１４の欄で変更項目を含む行をクリックして、最後に除去ボタン３１２をクリックすると選択一覧３１４から削除される。
【００５５】
次に、配置の設定エリア３１５では、ページ上のページ配置を指定する。行３１６のオプションでは、上下矢印ボタンをクリックするか、または数値を入力して、ページに配置する行数を指定する。行３１６のオプションで数値を変更すると、列３１７、及び拡大縮小３２０の設定の数値が変更される。また、数値を変更したためにページ内容がページの端を超える場合には、警告メッセージが表示される。
【００５６】
列３１７のオプションでは、上下矢印ボタンをクリックするか、または数値を入力して、配置する列数を指定する。列３１７のオプションで数値を変更すると、行３１６、及び拡大縮小３２０の設定の数値が変更される。また、数値を変更したためにページ内容がページの端を超える場合には、警告メッセージが表示される。
【００５７】
ページマーク３１８のオプションでは、設定を行うと、トンボ／折り目などのページマーク、及びジョブ名／シート情報／日時などのページ情報をページ上に表示／印刷することができる。ページマーク３２２の設定は、専用のページマーク設定のダイアログボックスで行う。
【００５８】
トンボのオプションを選択すると、ページ上にトンボが表示／印刷される。属性ボタンをクリックすると、マーク属性のダイアログボックスが表示され、そこでトンボの長さ（1〜216ポイント）／種類／幅（1〜3ポイント）／色を指定する。
【００５９】
折り目のオプションを選択するとページ上に折り目が表示／印刷される。属性ボタンをクリックすると、マーク属性のダイアログボックスが表示され、そこでトンボの長さ（1〜216ポイント）／種類／幅（1〜3ポイント）／色を指定する。また、折り目を選択していても、折り目が必要ないレイアウトでは、折り目ページマークは表示／印刷されない。ジョブ名、ページ情報、日時のオプションを選択すると、対応するページ情報がページ上に表示／印刷される。横オフセット、縦オフセットの項目に（-72〜72ポイント）を入力すると、トンボの表示／印刷位置が移動する。数値を増やすとトンボはページの中心に向かって移動する。トンボを各ページのサイズに合った位置に表示／印刷する。ページマーク３１８の設定は、ジョブの全ページマークに適用される。
【００６０】
特定のページマークの印刷を無効にするには、面付けのＧＵＩ画面３００でCtrlキーを押しながらページマークをクリックする。ページマークの上に赤い「X」マーク印が表示され、そのページマークは印刷されない。ブリード３１９のオプションの設定を行うとトンボの位置が移動し、ページ上のイメージがブリードする。ブリードの設定は、専用のブリード設定のダイアログで行う。横／縦の欄にそれぞれ（0〜72ポイント）を入力し、ブリード幅を指定する。
【００６１】
次に、拡大縮小の設定エリア３２０では、ページサイズの拡大縮小を指定する。適用先のオプションでは、混合ページサイズモードで面付けする場合に、拡大縮小の適用先を指定する。拡大縮小のオプションでは、自動変倍、カスタム、幅に合わせる、高さに合わせるの４項目を選択することができる。自動変倍を選択すると、ページが１ページ内におさまるようにページサイズを自動的に変更する。カスタムでは、拡大縮小率値、及び仕上がり値を指定する。これらの値は変動しており、いずれかを変更すると他も自動的に変更する。幅に合わせるのオプションでは、スロットの幅に合わせてページサイズを変更する。高さに合わせるのオプションでは、スロットの高さに合わせてページサイズを変更する。
【００６２】
次に、仕上げの設定エリア３２１では、製本方法、及びギャングアップ方法を指定する。まず、製本３２２のオプションを選択するには、製本３２２を選択する。この場合、ギャングアップ３２４のオプションは選択できない状況にある。製本方法では、「中とじ」、「無線とじ」、「複合中とじ」の４種類の中から選択する。
【００６３】
「中とじ」では、複数ある折り丁の中央折り目部分を糸／ステイプルで綴じる。「中とじ」は、広く用いられている製本方法の１つで、通常小冊子の製本に使用される。「無線とじ」では、複数ある折り丁を隣接して重ね、背を切断した後に接着剤で固めて綴じる。
【００６４】
「複合中とじ」では、中とじと無線とじを組み合わせた製本方法を指す。まず、中とじと同様、複数の折り丁を中央線に沿って糸／ステイプルで綴じる。その後、各サドルを隣接して重ね、無線とじと同様に接着剤で固めて綴じる。「複合中とじ」を選択する場合は、各サドルに入れるページ数（この各サドル内に入れるページ数をグループという）を指定する必要がある。この指定は、この指定は、製本方法用ポップアップメニュー下のグループ３２３で行う。綴じ位置には、「左とじ」と「右とじ」の項目を選択することができる。
【００６５】
「左とじ」はページの左側を綴じ、仕上がりは左開きになる。「右とじ」はページの右側を綴じ、仕上がりは右開きになる。ギャングアップ３２４のオプションで印刷するには、ギャングアップ３２４を選択する。この場合、製本３２２のオプションは選択できない状態になる。また、製本３２２のオプションで製本方法を選択して面付けする場合とは異なり、ページの配置順序を指定することはできない。この仕上げ方法では、サイズの小さいジョブを１枚のページにまとめて配置する。そのため、ギャングアップ印刷は通常、大きいページ使用の出力デバイスで、サイズの小さいジョブを出力する場合に使用され、用紙を節約することができる。
【００６６】
ギャングアップ３２４の選択メニューには、「反復」、「唯一」、「唯一‐丁合い」の３種類がある。「反復」では、ページは「配置：行／列」での値に応じて、ページ上に反復してレイアウトされる。両面印刷をする場合、第１シートの表側には第１ページが反復してレイアウトされ、その裏側には第２ページが、第２シートの表側には第３ページが、その裏側には第４ページが反復してレイアウトされる。残りのページもすべて同じ要領でレイアウトされる。印刷ジョブのタイプによっては、この方法でレイアウトされた方がより簡単に丁合いできる場合がある。「ギャングアップ：反復」印刷は通常、１つの書類を複数部出力する場合に使用される。例えば、名刺印刷の場合には、同一ページ（名刺）のコピーを大きなシートが埋まるまで反復し出力する。
【００６７】
「唯一」は、1つの書類を1部出力する場合に適したレイアウトである。このオプションではジョブは自動的に丁合いされないため、出力後に手動で丁合いし断裁する必要があるが、シートサイズを最大限に使用し、出力枚数を節約する。「唯一‐丁合い」は、シートを断裁するときにページ順にページを揃えやすいようにシート上のページレイアウトを変更する。このオプションにより、手作業による丁合いを最小限にする。一部のみの印刷に最適である。
【００６８】
また、ＧＵＩ画面３００にあるプレビュー画面３２５には、面付け、及びページ種類に関する設定内容が表示される。例えば、新規にページ種類の設定を追加する場合や、設定を変更する場合は、ユーザが容易にプレビュー画面３２５で設定内容を確認することができる。
【００６９】
次に、本実施形態の制御フローについて、一連の動作を図５のフローチャートに基づいて説明する。
【００７０】
図６は、本実施形態におけるマルチファンクションプリンタで実行される印刷処理の手順を示すフローチャートである。この処理では、製本条件に合わせた印刷ジョブの面付け、及びページ種類に関する各種指定に基づいて印刷ジョブを生成している。
【００７１】
まず、ステップＳ１において、コンピュータ１１からプリントジョブとしてＰＤＬ(ＰＳ)データを受信する。次に、ステップＳ２において、ユーザインタフェースにて印刷ジョブの面付け、及びページ種類に関する各種指定があるか否か判別する。指定があると判定された場合、ステップＳ３に進み、ファイル部５に格納されている、印刷ジョブの面付け、及びページ種類に関する各種指定の内容を読み出す。次に、ステップＳ４に進み、製本条件に合わせた印刷ジョブの面付け、及びページ種類に関する各種指定の内容に基づき、プリントジョブとして受信したＰＤＬ（ＰＳ）データをフォーマッタ部８、９でラスタ画像に展開し、プリンタ部２を用いて画像形成媒体上に画像を形成する。一方、ステップＳ２にて、印刷ジョブの面付け、及びページ種類に関する各種指定がないと判定された場合、ステップＳ５に進み、プリントジョブとして受信したＰＤＬ(ＰＳ)データをフォーマッタ部８、９でラスタ画像に展開し、プリンタ部２を用いて画像形成媒体上に画像を形成する。
【００７２】
次に、７種類（1-upフルブリード、2-up中とじ、2-up無線とじ、3-up巻き三つ折、4-upW字型折、4-up四つ折、4-up内巻四つ折）のテンプレートについて詳細に説明する。図７は、各種テンプレートの構成を示す図である。
【００７３】
図７（ａ）に示すように、テンプレート「1-upフルブリード」は、シート一枚につき書類を１ページ印刷する場合に使用する。ページマークが用紙切断位置を示し、書類内容は、用紙の裁ち落し線を越えて印刷される。
【００７４】
図７（ｂ）に示すように、テンプレート「2-up中とじ」は、中とじ製本用の折り丁を作成する場合に使用する。全シートが中央線で一緒に二つ折される。「2-up中とじ」のレイアウトは、仕上がりページ数が４の倍数の印刷ジョブ用に準備されている。シートが二つ折され綴じられた際に、全シートを通した連続ページが配置される。
【００７５】
図７（ｃ）に示すように、テンプレート「2-up無線とじ」は、無線とじ製本用の折り丁作成する場合に使用する。各テンプレートは二つ折りされ、折られた形で重ねられる。「2-up無線とじ」のレイアウトは、仕上がりページ数が４の倍数の印刷ジョブ用に準備されている。４ページごとにグループにされ、シートが二つ折された際、各シートには４つの連続ページが配置される。
【００７６】
図７（ｄ）に示すように、テンプレート「3-up巻き三つ折」は、１枚のシートを三つ折したものである。「3-up巻き三つ折」のレイアウトは、仕上がりページ数が６ページの印刷ジョブのみに使用できる。印刷ジョブが６ページ以外の場合は、エラーメッセージは表示される。
【００７７】
図７（ｅ）に示すように、テンプレート「4-upW字型折」は、一枚のシートを４つのセクションに折ったものである。一つの折線のみに負担をかけず、シート上で隣接するパネルが仕上がりでも隣接するように折られる。「4-upW字型折」のレイアウトは、仕上がりペース数が８ページの印刷ジョブのみに使用可能である。印刷ジョブが８ページ以外の場合は、エラーメッセージは表示される。通常、このレイアウトは、道路地図用に使用される。
【００７８】
図７（ｆ）に示すように、テンプレート「4-up四つ折」は、両面印刷の各面に４ページずつ配置した小冊子を作成する際に使用する。各シートジョブの２ページを９０度回転し、シートを折って裁ち落し線で切断した際、仕上がり小冊子で各ページが正しく表示されるように配置されている。「4-up四つ折」のレイアウトは、仕上がりページ数が１６の倍数の印刷ジョブ用に準備されている。ページは、各シートが４つ折りされ、裁ち落し線で切断され、中とじで綴じられた際に、全シートを通して連続した順になるように配置されている。このレイアウトでは、仕上がりの背に当たる部分のみに折り目が付いている。
【００７９】
図７（ｇ）に示すように、テンプレート「4-up内巻四つ折」は、通常４つのセクションで構成されるパンフレットを作成する際に使用される。シートは、まず両端のパネル部分が内側に折られ、更にもう一度内側に折られる。「4-up内巻四つ折」のレイアウトは、仕上がりページ数が１６ページの印刷ジョブのみ使用される。印刷ジョブが１６ページ以外の場合は、エラーメッセージが表示される。
【００８０】
次に、面付けした印刷ジョブに対して、ページ種類の各種設定を行う場合のページ設定の方法について説明する。ここでは、８ページの片面のスキャンデータ(印刷ジョブ)を用いた例を挙げて説明することにする。図８は、印刷ジョブに対するページ種類の指定を例を説明するための図である。
【００８１】
図８（ａ）は、８ページの両面設定を行って印刷したい場合を例示している。この場合の設定方法は、「両面３０７＝オン」と設定する。
【００８２】
図８（ｂ）は、８ページの両面ジョブで、１-３頁を第一章、４-８頁を第二章として印刷したい場合を例示している。この場合の設定方法は、「章の開始ページ３０９＝４」と設定する。
【００８３】
図８（ｃ）は、章の先頭ページ（章紙）の裏に印刷をしたくない場合の第１例を示している。この場合の設定方法は、「章の開始ページ３０９＝４, ５」と設定する。これにより章紙の裏に印刷しないことが可能となる。
【００８４】
図８（ｄ）は、合紙として色紙（普通紙）を指定したい場合を示している。例えば、８ページの両面ジョブでページ４とページ５の間に合紙を挿入したい場合等が挙げられる。この場合の設定方法は、「ページ範囲３０３＝４＾」と設定する。
【００８５】
図８（ｅ）は、章紙として色紙を使いたい場合を示している。例えば、８頁の両面ジョブで、１−３頁を第一章、４−８頁を第二章として印刷し、章紙（ページ４/ページ５）を色紙で印刷したい場合等が挙げられる。この場合の設定方法は、「章の開始ページ３０９＝４,ページ範囲３０３＝４−５」と設定する。
【００８６】
図８（ｆ）と図８（ｇ）は、章の先頭ページ（章紙）の裏に印刷をしたくない場合の第２例を示している。章の開始ページ３０９の指定で章紙の裏には印刷したくない場合の設定方法を説明したが、章の開始ページ３０９機能ではなく、両面３０７の指定を使用することでも実現可能である。例えば、８ページの両面ジョブで、１−３頁を第一章、４−８頁を第二章として（章紙の裏は白紙で）印刷したい場合等が挙げられる。
【００８７】
図８（ｆ）の例の設定方法は、「ページ範囲３０３＝４、両面３０７＝オフ」と設定する。図８（ｇ）の例の設定方法は、「ページ範囲３０３＝４、両面３０７＝Ｔｏｐ−Ｔｏｐ」と設定する。
【００８８】
図８（ｈ）は、文章全体は両面印刷したいが章紙として両面印刷不可な最厚口などを使用したい場合を例示している。例えば、８ページの両面ジョブで、ページ4を章紙（最厚口）として指定したい場合等が挙げられる。この場合の設定方法は、「章の開始ページ３０９＝４、ページ範囲３０３＝４、両面３０７＝オフ」と設定する。
【００８９】
以上詳述したように、本実施形態によれば、従来の製本条件に合わせた面付け指定手段に、ページ種類に関するページの範囲、用紙の種類、用紙の給紙元、章の開始ページを指定する手段を付加することにより、より詳細な印刷、及び製本条件に合わせた印刷ジョブの面付けを行うことができる。
【００９０】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００９１】
この場合、記憶媒体から読み出されたプログラムコード自体が前述した実施形態の機能を実現することになり、プログラムコード自体及びそのプログラムコードを記憶した記憶媒体は本発明を構成することになる。
【００９２】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９３】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００９４】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００９５】
【図１】本発明の実施形態に係る情報処理（画像読取）システムの構成を示す図である。
【図２】リーダ部及びプリンタ部を含むマルチファンクションプリンタの機械的構成を示す断面図である。
【図３】リーダ部の電気的な内部構成を示すブロック図である。
【図４】コア部の電気的な内部構成を示すブロック図である。
【図５】ジョブの面付け、及びページ種類の各種設定を行うＧＵＩ画面を示す図である。
【図６】マルチファンクションプリンタで実行される印刷処理の手順を示すフローチャートである。
【図７】各種テンプレートの構成を示す図である。
【図８】印刷ジョブに対するページ種類の指定の例を説明するための図である。
【符号の説明】
【００９６】
１  リーダ部
２  プリンタ部
３  画像入出力制御部
４  ファクシミリ部
５  ファイル部
６  光磁気ディスクドライブユニット
７  ネットワークインタフェース部
８  ＬＩＰＳフォーマッタ部
９  ポストスクリプトフォーマッタ部
１０  コア部
１１  パーソナルコンピュータ又はワークステーション（ＰＣ／ＷＳ）
１２  ネットワークサーバ
１０１  原稿給送装置
１０２  プラテンガラス
１０３  ランプ
１０４  スキャナユニット
１０５，１０６，１０７  ミラー
１０８  レンズ
１０９  ＣＣＤイメージセンサ
１１０  Ａ／Ｄ・ＳＨ部
１１１  画像処理部
１１３  インタフェース部
１１４  ＣＰＵ
１１５  操作部
１１８  メモリ
１２０  インタフェース部
１２１  データ処理部
１２３  ＣＰＵ
１２４  メモリ
２０１  レーザ発光部
２０２  感光ドラム
２０３  現像器
２０４，２０５  カセット
２０６  転写部
２０７  定着部
２０８  排出ローラ
２０９  フラッパ
２２０  ソータ
２２１  レーザドライバ
２３０  反転排紙ユニット
２５０  排紙トレー
３００  ＧＵＩ画面
【図１】
2006268358.tif 000003
【図２】
2006268358.tif 000004
【図３】
2006268358.tif 000005
【図４】
2006268358.tif 000006
【図５】
2006268358.tif 000007
【図６】
2006268358.tif 000008
【図７】
2006268358.tif 000009
【図８】
2006268358.tif 000010